(57)【特許請求の範囲】
【請求項１】
撮影用光学系の光路上に位置して被写体光を観察用光学系に反射する第１の位置と、上記被写体光を反射せずに撮影用受光部に通過させる第２の位置とに移動可能な可動ミラーと、
上記観察用光学系を構成するピント板と、
上記ピント板を支持するピント板支持部材と、
上記可動ミラーが上記第１の位置から上記第２の位置へ移動するときに該可動ミラーが当接して衝撃を吸収するミラー衝撃吸収部材と、
を備え、
上記ミラー衝撃吸収部材は、上記撮影用光学系の光軸に沿う方向で上記ピント板の中心部より被写体側に位置し、上記ピント板の板厚方向へ移動可能に上記ピント板支持部材により支持され、
上記ピント板支持部材に対して上記ミラー衝撃吸収部材を上記ピント板の板厚方向へ移動可能に支持する移動支持機構が、上記撮影用光学系の光軸に沿う方向で上記ピント板に対して被写体側に位置することを特徴とする撮像装置。
【請求項２】
上記移動支持機構は、
上記ピント板支持部材に設けた、上記撮影用光学系の光軸に沿う方向で上記ピント板の被写体側に位置して該ピント板の板面と略垂直な第１の壁部と、
上記ミラー衝撃吸収部材に設けた、上記ピント板支持部材の上記第１の壁部と略平行な第２の壁部と、
上記第１の壁部と上記第２の壁部の一方に設けられ、上記ピント板支持部材に対する上記ミラー衝撃吸収部材の上記移動方向に長手方向を向けた長孔と、
上記第１の壁部と上記第２の壁部の他方から突出して上記長孔に摺動可能に挿入される突起と
を有する請求項１記載の撮像装置。
【請求項３】
上記ミラー衝撃吸収部材を、上記可動ミラーが上記第１の位置から上記第２の位置へ移動するときの該可動ミラーによる押圧方向と反対方向に付勢する付勢部材を有する請求項１又は２記載の撮像装置。
【請求項４】
上記ピント板支持部材は固定部材に対して回動可能に支持され、
上記固定部材に固定的に支持される支持板部と、該支持板部に対して弾性変形可能で上記ピント板支持部材に対して係脱可能な係脱部とを有し、上記係脱部を上記ピント板支持部材に係合させて該ピント板支持部材による上記ピント板の支持位置を定めるロック部材を備え、
上記付勢部材は、上記ロック部材の上記支持板部に一端が当接し、上記ミラー衝撃吸収部材に他端が当接する少なくとも一つのコイルバネである請求項３記載の撮像装置。
【請求項５】
上記コイルバネを挿入するバネ挿入孔を上記固定部材に有し、上記固定部材の上記支持板部は、上記バネ挿入孔を覆って上記固定部材に支持されている請求項４記載の撮像装置。
【請求項６】
上記ピント板支持部材は固定部材に対して回動可能に支持され、
上記付勢部材は、上記ミラー衝撃吸収部材に支持される基部と、上記基部から突出して上記固定部材に当接する弾性変形可能な弾性当接部とを有する少なくとも一つの板バネである請求項３記載の撮像装置。
【請求項７】
上記固定部材は、上記ミラー衝撃吸収部材の少なくとも一部を収容する切欠部を有する請求項４ないし６のいずれか１項記載の撮像装置。
【請求項８】
上記観察用光学系は、上記固定部材に対して固定的に支持されて、上記可動ミラーが上記第１の位置にあるときに上記被写体光を透過させると共に観察される画像上に情報表示を行う透過表示器を備え、
上記ピント板支持部材による上記ピント板の支持状態で、上記透過表示器との当接によって上記ピント板の位置を決める請求項４ないし７のいずれか１項記載の撮像装置。
【発明の詳細な説明】
【技術分野】
【０００１】
本発明は、撮像装置に関し、特に可動ミラーの衝撃吸収機構を備えた撮像装置に関する。
【背景技術】
【０００２】
可動ミラー（クイックリターンミラー）を有する撮像装置である一眼レフカメラでは、ファインダ光学系を通して被写体を観察するときに、撮影用光学系の光路上に可動ミラーを位置させて被写体光をファインダ光学系側に反射させ、撮影（露光）を行うときに可動ミラーを撮影用光学系の光路から退避させる。撮影用光学系の光路上にある前者の位置を可動ミラーのファインダ導光位置、撮影用光学系の光路上から退避した後者の位置を可動ミラーの退避位置とする。
【０００３】
一眼レフカメラの内部には、可動ミラーがファインダ導光位置や退避位置に達したときに当接してそれ以上の移動を規制する移動規制部が設けられており、高速で動作する可動ミラーが移動規制部に当接する際に衝撃で振動が生じるおそれがある。ファインダ導光位置での可動ミラーの振動は、ファインダ光学系で観察するときの被写体像の振れを生じさせる。また、ファインダ導光位置にある状態の可動ミラーを用いて焦点距離検出装置や測光用のセンサに被写体光を導くタイプの一眼レフカメラでは、ファインダ導光位置で可動ミラーが振動している間は正確な合焦状態の判定や測光を行うことができない。退避位置での可動ミラーの振動は、露光時のカメラの振れや露光動作の遅れの原因となる。これらの不具合を軽減するべく、可動ミラーの振動を抑制する様々な衝撃吸収機構が提案されている。例えば特許文献１と特許文献２には、退避位置での可動ミラーの振動を抑制する衝撃吸収機構が記載されている。
【先行技術文献】
【特許文献】
【０００４】
【特許文献１】特許第５８４９４５８号公報
【特許文献２】特開２０１４−１４５８７８号公報
【発明の概要】
【発明が解決しようとする課題】
【０００５】
特許文献１に記載の一眼レフカメラでは、可動ミラーを内部に設けたミラーボックスの側部に衝撃吸収機構が設けられている。ミラーボックスには、可動ミラーの衝撃吸収機構以外にも、可動ミラーを駆動する駆動機構やシャッタチャージ用の機構などが支持されており、ファインダ光学系の構成要素もミラーボックスの上部に支持される。そして、近年では一眼レフカメラで用いられるイメージセンサ（撮像素子）が大型化し、これに伴ってファインダ光学系が大型化する傾向にある。すると、ファインダ光学系に近い位置で可動ミラーの振動を抑制する退避位置用の衝撃吸収機構の配置スペースを、ミラーボックスに確保することが難しくなるという課題が生じる。
【０００６】
特許文献２に記載の一眼レフカメラでは、固定部材であるスクリーンベースに対して、フォーカシングスクリーン（ピント板）を保持するスクリーン保持部材を回動可能に支持し、スクリーン保持部材と同軸で回動するミラーアップ緩衝材ホルダを備える。スクリーンベースには緩衝材ユニットが固着され、ミラーアップ緩衝材ホルダにミラーアップ緩衝材が保持される。可動ミラーが退避位置に回動すると、ミラーアップ緩衝材ホルダに保持されたミラーアップ緩衝材に可動ミラーが当接し、ミラーアップ緩衝材ホルダが僅かに回動して緩衝材ユニットに当接して、可動ミラーからの衝撃を吸収する。この特許文献２の衝撃吸収機構は、最終的に衝撃を吸収する緩衝材ユニットが、フォーカシングスクリーンの前方のスペースを利用して配置されているが、可動ミラーから緩衝材ユニットに至るまでの衝撃吸収構造として、撮影用光学系の光軸方向に長い回動部材であるミラーアップ緩衝材ホルダを用いており、全体として大型になってしまうという問題がある。また、スクリーンベースはミラーボックスの上部に固定されており、このスクリーンベースに対してミラーアップ緩衝材ホルダが回動可能に支持されている。そのため、ミラーアップ緩衝材ホルダがミラーボックスに支持されているのと実質的に同等の構成になり、ミラーアップ緩衝材ホルダの支持については先に述べた特許文献１と同様の課題が生じる。
【０００７】
本発明は以上の問題点に鑑みてなされたものであり、簡単かつスペース効率に優れた構成で、可動ミラーがファインダ光学系に接近する退避位置側に移動するときの衝撃吸収を行うことが可能な撮像装置を提供することを目的とする。
【課題を解決するための手段】
【０００８】
本発明は、撮影用光学系の光路上に位置して被写体光を観察用光学系に反射する第１の位置と、被写体光を反射せずに撮影用受光部に通過させる第２の位置とに移動可能な可動ミラーと、観察用光学系を構成するピント板と、ピント板を支持するピント板支持部材と、可動ミラーが第１の位置から第２の位置へ移動するときに該可動ミラーが当接して衝撃を吸収するミラー衝撃吸収部材とを備えた撮像装置において、ミラー衝撃吸収部材は、撮影用光学系の光軸に沿う方向でピント板の中心部より被写体側に位置し、ピント板の板厚方向へ移動可能にピント板支持部材により支持されている。
【０００９】
また、ピント板支持部材に対してミラー衝撃吸収部材をピント板の板厚方向へ移動可能に支持する移動支持機構を、撮影用光学系の光軸に沿う方向でピント板に対して被写体側に配置する。この移動支持機機構の構成として、撮影用光学系の光軸に沿う方向でピント板の被写体側に位置して該ピント板の板面と略垂直な第１の壁部をピント板支持部材に備え、ピント板支持部材の第１の壁部と略平行な第２の壁部をミラー衝撃吸収部材に備え、第１の壁部と第２の壁部の一方に、ピント板支持部材に対するミラー衝撃吸収部材の移動方向に長手方向を向けた長孔を設け、第１の壁部と第２の壁部の他方から突出して長孔に摺動可能に挿入される突起を設けることが好ましい。
【００１０】
可動ミラーが第１の位置から第２の位置へ移動するときの該可動ミラーによる押圧方向と反対方向にミラー衝撃吸収部材を付勢する付勢部材を備えることが好ましい。
【００１１】
ピント板支持部材は、固定部材に対して回動可能に支持させることができる。この場合、固定部材に固定的に支持される支持板部と、該支持板部に対して弾性変形可能でピント板支持部材に対して係脱可能な係脱部とを有し、係脱部をピント板支持部材に係合させてピント板支持部材によるピント板の支持位置を定めるロック部材を備えた上で、ロック部材の支持板部に一端が当接し、ミラー衝撃吸収部材に他端が当接する少なくとも一つのコイルバネを付勢部材として用いることが可能である。また、コイルバネを挿入するバネ挿入孔を固定部材に設け、固定部材の支持板部がバネ挿入孔を覆って固定部材に支持されるようにするとよい。
【００１２】
付勢部材の異なる形態として、ミラー衝撃吸収部材に支持される基部と、該基部から突出して固定部材に当接する弾性変形可能な弾性当接部とを有する少なくとも一つの板バネを用いてもよい。
【００１３】
固定部材には、ミラー衝撃吸収部材の少なくとも一部を収容する切欠部を設けてもよい。
【００１４】
観察用光学系の構成要素として、固定部材に対して固定的に支持されて、可動ミラーが第１の位置にあるときに被写体光を透過させると共に観察される画像上に情報表示を行う透過表示器を備え、ピント板支持部材によるピント板の支持状態で、透過表示器との当接によってピント板の位置を決めてもよい。
【発明の効果】
【００１５】
本発明によれば、可動ミラーがファインダ光学系に接近する退避位置側に移動するときの衝撃吸収を行うミラー衝撃吸収部材を、ピント板の中心部より被写体側に配置し、ピント板支持部材に対してミラー衝撃吸収部材を移動可能に支持する移動支持機構を、ピント板に対して被写体側に配置することで、簡単な構成でスペース効率良く可動ミラーの衝撃吸収を行うことができ、撮像装置の構造の複雑化や大型化を防ぐことができる。
【図面の簡単な説明】
【００１６】
【図１】本発明を適用した第１の実施形態のミラー衝撃吸収機構を備える一眼レフカメラのミラーダウン状態における内部構造を示す断面図である。
【図２】同一眼レフカメラのミラーアップ状態における内部構造を示す断面図である。
【図３】図２のミラーアップ状態におけるクイックリターンミラーとファインダ光学系の関係を示す断面図である。
【図４】図３の一部を拡大した断面図である。
【図５】ミラーアップ状態になるときに衝撃吸収部材がクイックリターンミラーにより押圧されている状態を示す断面図である。
【図６】図１のVI-VI線に沿う断面図である。
【図７】第１の実施形態のミラー衝撃吸収機構とファインダ光学系の斜視図である。
【図８】図７の一部を拡大した斜視図である。
【図９】固定部材に対してファインダ光学系と第１の実施形態のミラー衝撃吸収機構が組み付けられている状態を示す斜視図である。
【図１０】第２の実施形態のミラー衝撃吸収機構とファインダ光学系の斜視図である。
【図１１】図１０の一部を拡大した斜視図である。
【図１２】固定部材に対してファインダ光学系と第２の実施形態のミラー衝撃吸収機構が組み付けられている状態を図１０の平面XIIに沿って示す断面図である。
【発明を実施するための形態】
【００１７】
図１と図２に、本発明を適用した撮像装置の一実施形態である一眼レフカメラ１０の内部構造を示す。一眼レフカメラ１０は、図１に示すミラーダウン状態（第１の位置）と図２ないし図４に示すミラーアップ状態（第２の位置）に動作可能なクイックリターンミラー１１（可動ミラー）を有している。クイックリターンミラー１１はメインミラーＭ１とサブミラーＭ２を有する。
【００１８】
クイックリターンミラー１１が図１のミラーダウン状態にあるときには、レンズ鏡筒１２の撮影レンズ系１３を通った被写体光束が、メインミラーＭ１によって反射されてファインダ光学系１４（観察用光学系）に導かれ、被写体光束の一部はメインミラーＭ１を透過してサブミラーＭ２によって反射されて焦点検出装置１５に導かれる。クイックリターンミラー１１が図２のミラーアップ状態にあるときには、レンズ鏡筒１２の撮影レンズ系１３を通った被写体光束がメインミラーＭ１及びサブミラーＭ２により反射されずにイメージセンサ１６（撮影用受光部）へ向けて進む。なお、図１及び図２では、レンズ鏡筒１２は後端付近の一部のみを示しており、撮影レンズ系１３を構成する複数のレンズ（群）のうち最も後方のレンズのみを示している。焦点検出装置１５は位相差方式によって合焦状態を検出する周知のものであり、図１及び図２では模式的に示している。
【００１９】
以下の一眼レフカメラ１０の説明における前後方向は、撮影レンズ系１３の光軸ＯＡ（図１、図２）に沿う方向を意味し、レンズ鏡筒１２が位置する被写体側（図１及び図２の左方）を前方とし、イメージセンサ１６側（図１及び図２の右方）を後方とする。図１及び図２において光軸ＯＡに垂直な方向を上下方向とし、ファインダ光学系１４側を上方とし、焦点検出装置１５側を下方とする。また、図１及び図２の紙面に対して垂直な方向を方向を左右方向とする。なお、ここでの上下方向や左右方向は便宜的なものであり、一眼レフカメラ１０の構え方によって向きが変わるため、上下方向が鉛直方向に一致し、左右方向が水平方向に一致するとは限らない。
【００２０】
ファインダ光学系１４は、クイックリターンミラー１１に近い下方から順に、ピント板（フォーカシングスクリーン）２０、透過液晶２１（透過表示器）、ディストーション補正レンズ２２、ペンタゴナルダハプリズム２３を有しており、さらにペンタゴナルダハプリズム２３の後方に位置する接眼レンズ（図示略）を有している。ペンタゴナルダハプリズム２３の後方には、接眼レンズの上方の位置に測光センサ２４が設けられている。
【００２１】
前後方向におけるクイックリターンミラー１１とイメージセンサ１６の間にシャッタユニット２５が設けられる。シャッタユニット２５は、先幕と後幕を所定の時間差で動作させて露光時間を制御するフォーカルプレーンシャッタを有しており、通常時はシャッタを閉じてイメージセンサ１６側への被写体光束の進行を遮り、露光時に先幕と後幕を動作させてイメージセンサ１６へ被写体光束を到達させる。
【００２２】
クイックリターンミラー１１は、メインミラーシート３０上にメインミラーＭ１を支持し、サブミラーシート３５上にサブミラーＭ２を支持している。メインミラーシート３０は、凹部３１内にメインミラーＭ１を載置し、凹部３１の前縁にメインミラーＭ１よりもわずかに突出する当接部３２を有している。また、凹部３１の中央にはメインミラーシート３０の表裏を貫通する開口部３３が形成されている。メインミラーＭ１は、少なくとも開口部３３と重なる部分がハーフミラーとなっており、メインミラーＭ１を透過した光は開口部３３を通してメインミラーシート３０の裏面側に進むことができる。
【００２３】
メインミラーシート３０は、ヒンジピン３４により軸支されると共に、図示を省略するリンク機構を介して支持されている。メインミラーシート３０及びメインミラーＭ１は、ヒンジピン３４を中心とする回動とリンク機構による位置変化とによって、図１に示すファインダ導光位置と、図２ないし図４に示す退避位置とに移動することができる。図１ないし図３に示すように、ファインダ導光位置ではヒンジピン３４が光軸ＯＡに近づき、退避位置ではヒンジピン３４が光軸ＯＡから離れて上方に移動する。
【００２４】
サブミラーシート３５は、メインミラーシート３０に対して図示を省略する支持軸を介して軸支されている。サブミラーシート３５はメインミラーシート３０に連動して動作する。メインミラーシート３０が図１のファインダ導光位置にあるときには、サブミラーシート３５及びサブミラーＭ２は、メインミラーシート３０に対して斜め後方に突出する突出位置に保持される。メインミラーシート３０が図２ないし図４の退避位置にあるときには、サブミラーシート３５及びサブミラーＭ２は、メインミラーシート３０の背面に沿う格納位置に保持される。格納位置では、サブミラーシート３５とサブミラーＭ２の一部が、メインミラーシート３０の開口部３３に進入する。
【００２５】
クイックリターンミラー１１のミラーダウン状態（図１）では、メインミラーシート３０がファインダ導光位置にあり、サブミラーシート３５が突出位置にある。クイックリターンミラー１１のミラーアップ状態（図２ないし図４）では、メインミラーシート３０が退避位置にあり、サブミラーシート３５が格納位置にある。前述したリンク機構を含むミラー駆動機構（図示略）によってクイックリターンミラー１１を駆動して、ミラーダウン状態とミラーアップ状態にさせることができる。
【００２６】
図１のミラーダウン状態では、メインミラーＭ１が撮影レンズ系１３とシャッタユニット２５の間の撮影光路上に斜設され、撮影レンズ系１３を通った被写体光束がメインミラーＭ１によって上方に反射される。メインミラーＭ１の上方にはイメージセンサ１６の受光面と光学的に等価な位置にピント板２０が設けられており、メインミラーＭ１で反射された被写体光束がピント板２０に結像し、透過液晶２１を通過してディストーション補正レンズ２２とペンタゴナルダハプリズム２３と接眼レンズを経て（すなわちファインダ光学系１４を介して）被写体像を観察することができる。この状態では、ペンタゴナルダハプリズム２３の後方に設けた測光センサ２４による測光が可能である。また、ミラーダウン状態では、ハーフミラーであるメインミラーＭ１を透過した所定の割合の被写体光束が、開口部３３を通って後方に進み、開口部３３の後方に位置するサブミラーＭ２によって焦点検出装置１５に向けて反射される。焦点検出装置１５は、サブミラーＭ２を経由して導かれた被写体光束を受光して位相差方式によって合焦状態を検出する。焦点検出装置１５によって得られる被写体の合焦情報（合焦状態や合焦エリアなど）が透過液晶２１にスーパーインポーズ表示され、接眼レンズを通して被写体像と共に合焦情報を観察できる。
【００２７】
図２ないし図４のミラーアップ状態では、クイックリターンミラー１１がピント板２０に接近し、メインミラーＭ１とサブミラーＭ２がそれぞれピント板２０と平行に近い状態になる。この状態では、レンズ鏡筒１２の撮影レンズ系１３からシャッタユニット２５及びイメージセンサ１６に向けて進む露光用の被写体光束をメインミラーシート３０（メインミラーＭ１）とサブミラーシート３５（サブミラーＭ２）が遮らず、シャッタユニット２５でフォーカルプレーンシャッタを駆動してイメージセンサ１６へ被写体光束を到達させることができる。
【００２８】
クイックリターンミラー１１やファインダ光学系１４は、図９に示す固定部材４０を介して支持されている。固定部材４０は箱型のミラーボックス４１を有している。図示を省略するが、クイックリターンミラー１１を前述のミラーダウン状態とミラーアップ状態に動作させるミラー駆動機構の構成要素が、ミラーボックス４１の両側の側壁４２（図９）に沿って配置される。また、シャッタユニット２５のシャッタチャージを行うシャッタチャージ機構や、レンズ鏡筒１２内の絞りを動作させる絞り駆動機構も、ミラーボックス４１の両側の側壁４２に沿って配置される。
【００２９】
ミラーボックス４１の前面側には、レンズ鏡筒１２を着脱させる環状のレンズマウント３６（図１ないし図３）が設けられている。ミラーボックス４１には前後と上下に開口が形成されている。ミラーダウン状態（図１）とミラーアップ状態（図２ないし図４）のいずれにおいても、レンズマウント３６に取り付けたレンズ鏡筒１２の撮影レンズ系１３を通った被写体光束は、前方の開口からミラーボックス４１内に入る。ミラーボックス４１の後方の開口に臨む位置にシャッタユニット２５とイメージセンサ１６が設けられ、ミラーボックス４１の下方の開口に臨む位置に焦点検出装置１５が設けられている。ファインダ光学系１４の構成要素は、ミラーボックス４１の上方の開口とその近傍に支持される。このファインダ光学系１４の構成要素の支持構造を説明する。
【００３０】
固定部材４０はミラーボックス４１の上部に支持枠４３（図３）を有し、支持枠４３によって透過液晶２１を支持する。透過液晶２１は略矩形の外形形状を持つ板状体であり、一対の短辺を前後方向に、一対の長辺を左右方向にして支持枠４３に支持される。支持枠４３は、ミラーボックス４１の上方の開口を囲む縦壁４４と、縦壁４４から突出してミラーボックス４１の上方の開口を狭くするフランジ４５を有しており、縦壁４４とフランジ４５はそれぞれ、透過液晶２１の４つの辺に対応する前後位置及び左右位置に設けられている。透過液晶２１は、縦壁４４によって４つの辺が囲まれることによって前後方向及び左右方向の位置が決まり、下方を向く面の周縁がフランジ４５に当接することによって上下方向の位置が決まる。
【００３１】
図９に示すように、固定部材４０は、ファインダ光学系１４のうちピント板２０と透過液晶２１とディストーション補正レンズ２２の前方を覆う前板４６を有し、前板４６の左右方向の中央付近を一部切り欠いて切欠部４７が形成されている。切欠部４７はピント板２０と透過液晶２１に対応する上下方向位置に設けられており、切欠部４７の上方には前板４６の上縁部を構成する橋絡部４８を備える。図３に示すように、切欠部４７の形成位置では支持枠４３が存在していない。切欠部４７の左右の部分では前板４６に支持枠４３が設けられていて、透過液晶２１の前方の縁部も支持枠４３によって確実に支持される。
【００３２】
固定部材４０の支持枠４３の上部に、固定部材４０とは別部材からなるプリズム支持枠５０が固定される。図３に示すように、プリズム支持枠５０は、ディストーション補正レンズ２２の周縁部を嵌合保持するレンズ保持部５１と、レンズ保持部５１の上部に位置してペンタゴナルダハプリズム２３の下面（入射面）の周縁部を支持するプリズム支持面５２を有している。ディストーション補正レンズ２２とペンタゴナルダハプリズム２３は、プリズム支持枠５０に支持される状態で、互いの間に防塵クッション５３と遮光枠５４を挟んでいる。防塵クッション５３と遮光枠５４はそれぞれ、ディストーション補正レンズ２２の周縁に沿う枠形状を有している。防塵クッション５３は、ディストーション補正レンズ２２とペンタゴナルダハプリズム２３の間に圧縮状態で挟まれることによって防塵空間を形成する。遮光枠５４は、ディストーション補正レンズ２２からペンタゴナルダハプリズム２３へ向かう有害な周辺光を遮断する。
【００３３】
図３に示すように、プリズム支持枠５０の下面と透過液晶２１の間に防塵クッション５５が挟まれる。防塵クッション５５は透過液晶２１の周縁に沿う矩形の枠形状を有しており、圧縮状態で挟まれることによって、透過液晶２１とディストーション補正レンズ２２の間に防塵空間を形成する。また、圧縮された防塵クッション５５から透過液晶２１に対して支持枠４３のフランジ４５に向けて押圧する力が働き、透過液晶２１が安定して支持される。透過液晶２１とフランジ４５の間には視野枠５６が挟まれる。視野枠５６は、透過液晶２１の周縁に沿う矩形の枠形状を有しており、ファインダ光学系１４における観察範囲（視野）を決める。
【００３４】
ピント板２０は、透過液晶２１と同様に略矩形の外形形状を持つ板状体であり、図３や図７に示すようにピント板支持枠６０（ピント板支持部材）を介してピント板２０が支持される。ピント板支持枠６０は、ピント板２０の前後と左右を囲む縦壁６１を有し、縦壁６１の下端にはピント板２０の下面の周縁に対向する曲げ部６２が設けられている。ピント板２０は縦壁６１によってピント板支持枠６０に対する前後方向及び左右方向の移動が規制される。ピント板２０は縦壁６１の上端部に当接するフランジ５７（図３）を有しており、フランジ５７と縦壁６１の当接によって、ピント板支持枠６０に対するピント板２０の下方への移動が規制される。また、ピント板２０の下面と曲げ部６２の間に、板バネからなるピント板支持バネ６３（図８）が挿入される。図７に示すように、ピント板支持枠６０の左右の縦壁６１の後端付近に、左右方向に向けて突出する一対の支持軸６４が設けられている。図９に示すように、各支持軸６４は、固定部材４０に形成した軸支部４９によって軸支され、ピント板支持枠６０は支持軸６４を中心とする回動（揺動）が可能である。
【００３５】
ピント板支持枠６０の回動を規制するロック部材６５が、固定部材４０の前板４６に支持される。ロック部材６５は金属の板材からなり、前板４６の一部である橋絡部４８の上面に支持される支持板部６６と、支持板部６６から片持ち状の突出部として突出する係脱部６７とを有している。係脱部６７は、支持板部６６に対して上方に突出してから下方に向けて湾曲され、支持板部６６よりも下方まで延びている。図８に示すように、係脱部６７は前後方向に貫通する貫通孔６７ａを有し、この貫通孔６７ａの下縁に係合片６８が設けられている。支持板部６６は３本の固定ビス６９によって前板４６の橋絡部４８に固定され、先端を自由端とした係脱部６７が、支持板部６６を基部として前後方向に弾性変形可能である。
【００３６】
図８に示すように、ピント板支持枠６０の前部の左右方向の略中央にはロック突起７０が設けられている。ロック部材６５は、係脱部６７を前後方向に弾性変形させることによって係合片６８をロック突起７０に係脱させることが可能である。係脱部６７は、外力を加えないときには係合片６８とロック突起７０が係合するロック状態を維持する。このロック状態では、ロック突起７０の下方への移動が係合片６８によって規制されるため、ピント板支持枠６０は支持軸６４を中心として回動せずに一定の保持位置（図１ないし図５、図７ないし図９に示す位置）に保持される。図３に示すように、ロック部材６５によってピント板支持枠６０が保持位置に保持されているときに、ピント板２０と透過液晶２１の間にピント板ワッシャ７１を挟持し、ピント板２０は透過液晶２１との当接（ピント板ワッシャ７１を挟んだ間接的な当接関係）によって上下方向の位置が決まる。ピント板ワッシャ７１は、ピント板２０と透過液晶２１の周縁に沿う矩形の枠形状を有している。ピント板２０の下面に当接するピント板支持バネ６３（図８）は、ピント板支持枠６０が保持位置にある状態で弾性変形して、ピント板２０をピント板ワッシャ７１に押し付ける付勢力を生じる。図３に示すように、保持位置にあるピント板支持枠６０によって支持されるピント板２０は、透過液晶２１と略平行な関係になり、イメージセンサ１６と光学的に等価な結像位置に保持される。
【００３７】
このように、固定部材４０を介さずに透過液晶２１によってピント板２０の上下方向の位置を定める構造にすることで、ピント板２０と透過液晶２１の間隔を小さくすることができる。ファインダ光学系１４では、透過液晶２１に表示される合焦情報などの情報表示が被写体像と共に接眼レンズを通して観察されるため、ピント板２０と透過液晶２１の間隔を小さくすることで、ピント板２０上に結像する被写体像に対する透過液晶２１上の情報表示の視度のずれが小さくなり、ファインダ光学系１４の観察品質を向上させることができる。
【００３８】
図９に示すように、ロック部材６５の係脱部６７は、固定部材４０の切欠部４７を通してミラーボックス４１の前方の開口内に露出しており、レンズマウント３６からレンズ鏡筒１２を取り外した状態で係脱部６７を操作可能である。そして、ロック部材６５の係脱部６７を前方に引いて弾性変形させることで、係合片６８がロック突起７０と重なる位置から離脱し、ロック部材６５によるロック状態が解除される。ロック状態を解除することで、ピント板支持枠６０は支持軸６４を中心とする回動が可能になる。前端を下方に下げる開放位置（図示略）にピント板支持枠６０を回動させることにより、ピント板２０は透過液晶２１から離れて上下方向の位置決めが解除され、ピント板２０の取り外し（交換）や、ピント板２０と透過液晶２１周りのメンテナンスを行うことが可能になる。
【００３９】
ロック部材６５の係脱部６７には、係合片６８の下方にテーパ部６７ｂが設けられている。ピント板支持枠６０を開放位置から保持位置に向けて回動すると、ロック突起７０がテーパ部６７ｂに当接する。すると、テーパ部６７ｂの傾斜形状によって、ピント板支持枠６０の回動方向の力から係脱部６７を前方に押圧する分力が生じて、係脱部６７が弾性変形しながらロック突起７０を乗り越える。ピント板支持枠６０が保持位置まで達すると、ロック突起７０によるテーパ部６７ｂへの押し込みが解除されて、係合片６８がロック突起７０に係合するロック状態になる。つまり、ピント板支持枠６０の開放位置から保持位置への復帰は、ピント板支持枠６０の回動操作のみで簡単に行うことができる。
【００４０】
一眼レフカメラ１０は、クイックリターンミラー１１がミラーアップ状態になるときの衝撃吸収を行って振動（バウンド）を抑制するミラー衝撃吸収機構を備える。ミラー衝撃吸収機構は、ピント板支持枠６０に対して可動に支持された衝撃吸収部材７２（ミラー衝撃吸収部材）を備える。図７や図８に示すように、衝撃吸収部材７２は左右方向に長い部材であり、長手方向の略全体に亘って縦板部７３（移動支持機構、第２の壁部）と下板部７４が設けられている。また、長手方向の両端から所定の範囲で上板部７５が形成されている。縦板部７３は上下方向に延びる壁部を形成し、下板部７４は縦板部７３の下端から後方に向けて突出し、上板部７５は縦板部７３の上端から後方に向けて突出し、縦板部７３と下板部７４と上板部７５によって、後方に向けて開かれたコ字状の断面構造が形成される。
【００４１】
図７や図８に示すように、衝撃吸収部材７２の縦板部７３は、上板部７５が形成されている長手方向（左右方向）の両側部分よりも中央部分の方が上方への高さが大きくなっており、この縦板部７３の中央部分の上端から前方に向けて突出するバネ受け座７６が設けられる。また、縦板部７３のうち上方への高さが大きくなっている中央部分には、左右方向に位置を異ならせて一対のガイド孔７７（移動支持機構、長孔）が形成され、一対のガイド孔７７の間にアクセス孔７８が形成されている。各ガイド孔７７は上下方向に長い長孔である。アクセス孔７８は、一対のガイド孔７７の間の左右方向の所定範囲で縦板部７３を切り欠いたものであり、前述したロック部材６５によるピント板支持枠６０のロック状態の解除操作を行う際に、アクセス孔７８を通して係脱部６７の操作を行うことができる。
【００４２】
図４に示すように、ピント板支持枠６０は、ピント板２０に対して前方へ離間する支持壁７９（移動支持機構、第１の壁部）を有している。支持壁７９は、上下方向に延びる（ピント板２０の板面に略垂直な）壁部を形成しており、ピント板２０の周縁部を保持する縦壁６１のうちピント板２０の前縁を保持する部分よりも前方に位置している。支持壁７９には、左右方向に位置を異ならせて一対のガイドピン８０（移動支持機構、突起）が取り付けられる。各ガイドピン８０は、支持壁７９に形成した挿通孔に挿入されてスナップリング８１によって抜け止めされている。各ガイドピン８０は、支持壁７９から前方に突出してガイド孔７７に挿入されるガイド部８０ａと、ガイド部８０ａの前方に位置する抜け止め部８０ｂを有する。ガイド部８０ａと抜け止め部８０ｂはいずれも円形断面を有する突出部であり、ガイド部８０ａの直径は、ガイド孔７７の左右方向（短手方向）の幅と略同じで、ガイド孔７７の上下方向（長手方向）の長さよりも小さい。抜け止め部８０ｂの直径はガイド部８０ａの直径よりも大きい。各ガイド孔７７に各ガイドピン８０を挿入した状態で、衝撃吸収部材７２の縦板部７３はピント板支持枠６０の支持壁７９と略平行になり、縦板部７３と支持壁７９は互いの間にがたつきの無い程度のわずかなクリアランスをもった状態で対向する。
【００４３】
従って、衝撃吸収部材７２は、縦板部７３と支持壁７９の当接関係と、各ガイド孔７７と各ガイドピン８０（特にガイド部８０ａ）の摺動関係によって、ピント板支持枠６０に対して、ピント板２０の板厚方向（ピント板２０の板面と略直交する方向）に移動可能に支持される。ピント板支持枠６０が各図に示す保持位置にあるとき（ピント板２０が結像位置に保持されるとき）には、ピント板支持枠６０に対する衝撃吸収部材７２の移動方向は上下方向となる。ピント板支持枠６０に対する衝撃吸収部材７２の左右方向の移動は、各ガイド孔７７の側面と各ガイドピン８０のガイド部８０ａの当接によって制限される。また、図４に示すように、各ガイドピン８０の抜け止め部８０ｂとピント板支持枠６０の支持壁７９の間に縦板部７３が挟まれることで、ピント板支持枠６０に対する衝撃吸収部材７２の前後方向の移動が規制される。
【００４４】
衝撃吸収部材７２は、変形による傾きや歪みを生じずにピント板支持枠６０に対してスムーズに移動可能に支持されるように、所要の剛性（強度）や硬さを有する材質で構成される。一例としてステンレス鋼材などの金属製の板材にすることで、衝撃吸収部材７２をコンパクト（薄型）にしながら強度を確保することができ、衝撃吸収部材７２周りの省スペース性の向上に寄与する。但し、衝撃吸収部材７２の材質はこれに限られるものではなく任意に選択可能であり、合成樹脂の成形品とすることなども可能である。
【００４５】
ロック部材６５の支持板部６６と衝撃吸収部材７２のバネ受け座７６の間にコイルバネ８２が挿入される。コイルバネ８２は左右方向に位置を異ならせて２本配されている。図４ないし図６に示すように、固定部材４０の橋絡部４８には上下方向に貫通するバネ挿入孔８３が形成されており、橋絡部４８上に固定されるロック部材６５の支持板部６６がバネ挿入孔８３の上端側の開口を塞いでいる。各コイルバネ８２はバネ挿入孔８３に挿入され、コイルバネ８２の上端がロック部材６５の支持板部６６に当接し、バネ挿入孔８３の下方に突出するコイルバネ８２の下端が衝撃吸収部材７２のバネ受け座７６に当接する。図３と図６はコイルバネ８２の自由状態での長さを示しており、各コイルバネ８２が自由状態よりも圧縮された状態で挿入されることにより（図４、図５）、衝撃吸収部材７２を下方に移動付勢する力が働く。下方に向けて移動付勢された衝撃吸収部材７２は、外力が加わらない状態では、各ガイド孔７７の上端にガイドピン８０のガイド部８０ａが当接する下方移動端（図５を除く各図に示す位置）に保持される。バネ挿入孔８３は円筒状の内周面を有し、コイルバネ８２はバネ挿入孔８３の内周面に対してわずかなクリアランスを空けて挿入されており、バネ挿入孔８３の内周面によってコイルバネ８２の座屈が防がれる。
【００４６】
なお、図６に示すように、固定部材４０の橋絡部４８には左右方向に並ぶ４つのバネ挿入孔８３が形成されており、ロック部材６５の支持板部６６と衝撃吸収部材７２のバネ受け座７６の間に最大で４本のコイルバネ８２を挿入することができる。本実施形態では、左右方向の両端に位置する２つのバネ挿入孔８３にコイルバネ８２を配しているが、衝撃吸収部材７２に付与する付勢力の大きさや付勢力のバランスに応じて、コイルバネ８２の個数や配置を任意に選択することができる。
【００４７】
衝撃吸収部材７２の下板部７５の下面に弾性緩衝体８４（ミラー衝撃吸収部材）が取り付けられる。図７や図８に示すように、下板部７５は、ピント板支持枠６０の左右方向の長さに概ね対応する左右方向の長さを有しており、これに対応して弾性緩衝体８４も左右方向に長い形状になっている。弾性緩衝体８４は柔軟性のある材質で構成されている。具体的には、連続気泡構造や独立気泡構造のフォーム材やゴムのように振動減衰性の高い材質で弾性緩衝体８４を構成するとよい。
【００４８】
図９に示すように、衝撃吸収部材７２の一部は、固定部材４０の切欠部４７内に位置している。具体的には、衝撃吸収部材７２の縦板部７３よりも前方に突出しているバネ受け座７６とガイドピン８０が、切欠部４７の内側に収容されている。これにより、固定部材４０の前板４６に対するバネ受け座７６とガイドピン８０の干渉を防ぐことができる。特に、バネ受け座７６は衝撃吸収部材７２の移動に伴って上下方向に位置を変化させるため、切欠部４７の左右方向の幅はバネ受け座７６の左右方向の長さよりも大きく設定され、かつ切欠部４７の上下方向の幅はバネ受け座７６の上下方向の移動範囲よりも大きく設定されている。また、切欠部４７は衝撃吸収部材７２のアクセス孔７８をミラーボックス４１の前方の開口内に露出させており、前述のように切欠部４７を通してロック部材６５の係脱部６７のロック解除操作を行うことができる。なお、本実施形態の切欠部４７は、上方のみに橋絡部４８を有し下方が開放された構造であるが、下方を開放しない前後方向への貫通部として切欠部を構成することも可能である。
【００４９】
図１に示すミラーダウン状態では、クイックリターンミラー１１が衝撃吸収部材７２から離れており、衝撃吸収部材７２はコイルバネ８２の付勢力により下方移動端に保持される。クイックリターンミラー１１がミラーダウン状態から図２ないし図４に示すミラーアップ状態になるとき、当接部３２が設けられているメインミラーシート３０の前端付近（及びメインミラーＭ１の前端付近）が衝撃吸収部材７２の弾性緩衝体８４に当接する。このとき、図５のように、コイルバネ８２の負荷に抗して衝撃吸収部材７２を下方移動端から上方へ押し上げながら衝撃を吸収して、クイックリターンミラー１１のバウンドを抑制することができる。この衝撃吸収時には、ガイド孔７７の上端にガイドピン８０のガイド部８０ａが当接する前に衝撃吸収部材７２の上方への移動が停まるようにコイルバネ８２の付勢力が設定されている。従って、衝撃吸収部材７２からピント板支持枠６０に対して強い衝撃が作用せず、ピント板支持枠６０によって衝撃吸収部材７２を移動可能に支持した構造でありながら、ピント板２０への悪影響を防ぐことができる。なお、図５ではバネ受け座７６が橋絡部４８の下面に接近した状態を示しているが、コイルバネ８２の付勢力は、バネ受け座７６が橋絡部４８の下面に当接する前に衝撃吸収部材７２の上方への移動を停める大きさに設定されている。
【００５０】
以上のように衝撃吸収部材７２は、ピント板支持枠６０を介してピント板２０の前方空間に支持されており、ピント板支持枠６０の支持壁７９に沿って上下方向に移動可能である。また、ピント板支持枠６０を介して衝撃吸収部材７２を移動可能に支持する構造（移動支持機構）は、ガイド孔７７とガイドピン８０による簡単かつコンパクトなものであってピント板２０の前方空間に収められているため、衝撃吸収部材７２の動作に必要なスペースが小さくて済む。従って、ファインダ光学系１４の構成要素が大型である場合や、ミラーボックス４１の側壁４２に沿う部分にスペース的な余裕がない場合でも、固定部材４０の成約を受けずに衝撃吸収部材７２をスペース効率良く配置することができ、省スペースでありながら衝撃吸収性に優れたミラー衝撃吸収機構が得られる。
【００５１】
図１や図２に示すように、メインミラーシート３０を軸支するヒンジピン３４は、光軸ＯＡに沿う方向（前後方向）においてピント板２０の中心部よりも後方に位置している。一方、衝撃吸収部材７２は光軸ＯＡに沿う方向（前後方向）においてピント板２０の前方に位置しており、メインミラーシート３０のうちヒンジピン３４から最も離れた先端（前端）にある当接部３２の移動軌跡上に衝撃吸収部材７２（弾性緩衝体８４）が位置している。メインミラーシート３０が動作するときには、ヒンジピン３４から離れて先端側（当接部３２側）に進むにつれて移動量と加速度が増大するため、ピント板２０の前方に衝撃吸収部材７２を配して当接部３２への当接で衝撃吸収を行う構成は、衝撃吸収の効率という点でも優れている。
【００５２】
なお、衝撃吸収部材７２のうち下板部７４の後端部付近は、光軸ＯＡに沿う方向（前後方向）でピント板２０と重なる位置関係にある。すなわち、本発明は衝撃吸収部材７２の全体がピント板２０の前方に位置することを要するものではなく、少なくとも光軸ＯＡに沿う方向におけるピント板２０の中心部よりも前方に衝撃吸収部材７２が位置する（かつ衝撃吸収部材７２によってピント板２０を通る観察用の光束を遮らない）という要件を満たしていれば成立する。図３から分かるように、衝撃吸収部材７２の下板部７４がピント板２０と重なる位置関係にある領域は、視野枠５６の前縁よりも前方に位置しており、下板部７４がファインダ光学系１４による観察範囲を遮ることはない。
【００５３】
また、衝撃吸収部材７２を付勢するコイルバネ８２を、固定部材４０の一部である橋絡部４８の内部に収め、橋絡部４８の下方に位置する切欠部４７内に衝撃吸収部材７２のバネ受け座７６を収めているため、衝撃吸収部材７２とその支持構造は、固定部材４０との関係においてもスペース効率に優れている。加えて、橋絡部４８内のバネ挿入孔８３によるコイルバネ８２の座屈防止効果も得ることができる。また、ピント板支持枠６０を保持するためのロック部材６５の支持板部６６をコイルバネ８２の上端の支持に用いているので、部品点数を少なくして組立性を向上させる効果も得られる。
【００５４】
図１０ないし図１２に第２の実施形態のミラー衝撃吸収機構を示す。このミラー衝撃吸収機構は、衝撃吸収部材７２を下方に向けて付勢する板バネ８５（付勢部材）を備えている。板バネ８５は、衝撃吸収部材７２の左右方向の端部付近に一つずつ設けられている。図１１に示すように、各板バネ８５は金属の板材からなり、衝撃吸収部材７２の縦板部７３の前面にリベット８９で固定される固定部８６と、固定部８６から後方に向けて突出して衝撃吸収部材７２の上板部７５に支持される基部８７と、基部８７から斜め上方に向けて延設される片持ち状の弾性当接部８８を有している。弾性当接部８８は基部８７を支点として上下方向に弾性変形可能である。２つの板バネ８５は、衝撃吸収部材７２の左右方向の端部から中央に向けて、互いの先端（自由端）を接近させる方向にそれぞれの弾性当接部８８を突出させている。
【００５５】
図１２に示すように、各板バネ８５の弾性当接部８８の上方には、固定部材４０の支持枠４３が位置している。自由状態の弾性当接部８８（図１２に実線で示している）の上方への突出量は、衝撃吸収部材７２の上板部７５と支持枠４３の下面の上下方向間隔よりも大きいため、弾性当接部８８は下方に向けて弾性変形した状態（図１２に一点鎖線で示している）で支持枠４３の下面に当接する。そして、弾性当接部８８が弾性変形から復元しようとする力によって弾性当接部８８が下方に向けて付勢される。
【００５６】
第１の実施形態は、コイルバネ８２の数や長さなどの設定により衝撃吸収部材７２への付勢力を調整（変更）しやすいという利点がある。第２の実施形態は、ピント板支持枠６０とガイドピン８０による案内を受ける縦板部７３の板面に近い前後方向位置で、衝撃吸収部材７２が板バネ８５からの付勢力を受けるため、衝撃吸収部材７２に対して回転方向のモーメント（前後方向に倒れさせようとする力）が作用しにくいという利点がある。
【００５７】
以上、図示実施形態に基づいて本発明を説明したが、本発明は図示実施形態に限定されるものではない。例えば、衝撃吸収部材７２を上下方向に移動可能に支持する構成として、実施形態では衝撃吸収部材７２にガイド孔７７を形成し、ピント板支持枠６０にガイドピン８０を設けているが、長孔（ガイド孔７７）と突起（ガイドピン８０）を形成する部材を逆にすることもできる。また、実施形態の衝撃吸収部材７２の縦板部７３とピント板支持枠６０の支持壁７９はそれぞれ前後方向に薄い板状であるため、長孔（ガイド孔７７）と突起（ガイドピン８０）を設けることが好適であるが、衝撃吸収部材の形状などの条件が異なる場合には、衝撃吸収部材を可動に支持する構造として、ガイドシャフトとガイド孔、凹状断面の溝と凸状部など、長孔と突起以外の他の様々な構造を採用することが可能である。
【００５８】
実施形態のミラー衝撃吸収部材は、複数箇所で折り曲げた板状の衝撃吸収部材７２の下部に弾性緩衝体８４を取り付けた構造であり、弾性緩衝体８４によってミラー当接時の静音性を高めることができるが、本発明を適用するミラー衝撃吸収部材はこれに限定されるものではない。例えば、弾性緩衝体８４に相当する部位を備えない形態のミラー衝撃吸収部材を採用することも可能である。
【００５９】
ミラー衝撃吸収部材を付勢する付勢部材として、各実施形態ではコイルバネ８２と板バネ８５を択一的に用いているが、コイルバネ８２と板バネ８５を併用することも可能である。さらに、コイルバネ８２や板バネ８５バネ以外にも、任意の付勢部材を用いることが可能である。例えば、バネとしては、コイルバネ８２のような圧縮バネに代えて引張バネなどを用いることができる。また、バネ以外の構成として、フォーム材やゴムのような材質からなる付勢部材を用いてもよい。
【００６０】
実施形態のクイックリターンミラー１１はメインミラーＭ１とサブミラーＭ２を備えているが、本発明はメインミラーＭ１のみを備えるタイプの可動ミラーに対しても適用が可能である。
【００６１】
実施形態の一眼レフカメラ１０は、撮影用の受光部としてイメージセンサ２２を用いるいわゆるデジタルカメラであるが、本発明は撮影用の受光部として銀塩フィルムを用いる撮像装置にも適用が可能である。
【符号の説明】
【００６２】
１０  一眼レフカメラ（撮像装置）
１１  クイックリターンミラー（可動ミラー）
１２  レンズ鏡筒
１３  撮影レンズ系
１４  ファインダ光学系（観察用光学系）
１５  焦点検出装置
１６  イメージセンサ（撮影用受光部）
２０  ピント板
２１  透過液晶（透過表示器）
２２  ディストーション補正レンズ
２３  ペンタゴナルダハプリズム
２４  測光センサ
２５  シャッタユニット
３０  メインミラーシート
３１  凹部
３２  当接部
３３  開口部
３４  ヒンジピン
３５  サブミラーシート
３６  レンズマウント
４０  固定部材
４１  ミラーボックス
４２  側壁
４３  支持枠
４４  縦壁
４５  フランジ
４６  前板
４７  切欠部
４８  橋絡部
４９  軸支部
５０  プリズム支持枠
５１  レンズ保持部
５２  プリズム支持面
５３  防塵クッション
５４  遮光枠
５５  防塵クッション
５６  視野枠
６０  ピント板支持枠（ピント板支持部材）
６１  縦壁
６２  曲げ部
６３  ピント板支持バネ
６４  支持軸
６５  ロック部材
６６  支持板部
６７  係脱部
６７ａ  貫通孔
６７ｂ  テーパ部
６８  係合片
６９  固定ビス
７０  ロック突起
７１  ピント板ワッシャ
７２  衝撃吸収部材（ミラー衝撃吸収部材）
７３  縦板部（移動支持機構、第２の壁部）
７４  下板部
７５  上板部
７６  バネ受け座
７７  ガイド孔（移動支持機構、長孔）
７８  アクセス孔
７９  支持壁（移動支持機構、第１の壁部）
８０  ガイドピン（移動支持機構、突起）
８０ａ  ガイド部
８０ｂ  抜け止め部
８１  スナップリング
８２  コイルバネ（付勢部材）
８３  バネ挿入孔
８４  弾性緩衝体（ミラー衝撃吸収部材）
８５  板バネ（付勢部材）
８６  固定部
８７  基部
８８  弾性当接部
８９  リベット
Ｍ１  メインミラー
Ｍ２  サブミラー
ＯＡ  撮影レンズ系の光軸
【図１】
0006790434.tif 000002
【図２】
0006790434.tif 000003
【図３】
0006790434.tif 000004
【図４】
0006790434.tif 000005
【図５】
0006790434.tif 000006
【図６】
0006790434.tif 000007
【図７】
0006790434.tif 000008
【図８】
0006790434.tif 000009
【図９】
0006790434.tif 000010
【図１０】
0006790434.tif 000011
【図１１】
0006790434.tif 000012
【図１２】
0006790434.tif 000013